(57)【特許請求の範囲】
【請求項１】
遊技機本体の裏面側に、遊技島設備の補給樋から供給された遊技球を受け入れる球タンクと、該球タンクから放出された遊技球を流下させる下方傾斜したタンクレールと、該タンクレール内を積み重なって流下する遊技球を平らに均す球均し部材とを備えたパチンコ遊技機において、
前端に先鋭端を備えるとともに、該先鋭端から後部側に向けて上方傾斜する略帯板状の球乗り上げ部を備えた球均し部材が、その先鋭端を、タンクレールの内底面に対して遊技球１個を通過させ得る高さ位置に臨ませ、かつ遊技球の流下方向に対向するように配設されていることを特徴とするパチンコ遊技機。
【請求項２】
球乗り上げ部の上端部に、先鋭端から乗り上げた遊技球を送り返す上方に湾曲した円弧状返し面部が設けられていることを特徴とする請求項１記載のパチンコ遊技機。
【請求項３】
球均し部材を上下方向に回動可能に軸支する支軸と、該球均し部材を、その先鋭端がタンクレールの内底面に対して遊技球１個を通過させ得る高さ位置に臨む球均し位置に保持する位置保持手段とを備え、該球均し部材は、位置保持手段の保持解除によって下方に回動して、その先鋭端がタンクレールの内底面に当接して遊技球の流下を遮断する球止め位置に位置決められるものであることを特徴とする請求項１または請求項２記載のパチンコ遊技機。
【請求項４】
位置保持手段が、球均し部材に形成された軸挿通孔の内周面と、該軸挿通孔に挿通される支軸の外周面とに亘って対向状に形成されたキー溝対と、該キー溝対に抜き差し自在に嵌入されるキー部材とからなることを特徴とする請求項３記載のパチンコ遊技機。
【発明の詳細な説明】
【技術分野】
【０００１】
本発明は、タンクレール内を積み重なった状態で流下する遊技球を平らに均すための球均し部材を備えたパチンコ遊技機に関する。
【背景技術】
【０００２】
一般に、パチンコ遊技機にあっては、図１２に示すように、遊技機本体の裏面側に装着される裏機構板ｍの上部位置に、遊技島設備の補給樋から供給された遊技球を受け入れる球タンクｋと、該球タンクｋから放出された遊技球を流下させる緩勾配で下方傾斜したタンクレールａとが配設されており、該タンクレールａを流下する遊技球は上下方向の球通路ｅを介して下方の球払出装置ｆに送られるようになっている。
【０００３】
前記タンクレールａには、遊技球が積み重なった状態で流下することに起因して発生する種々の不具合を未然に防ぐために、積み重なった状態の遊技球を平らに均す球均し部材ｂが設けられている。従来の球均し部材ｂは、タンクレールａ内における遊技球の流下方向に直交させてタンクレールａの上方に突設された支軸ｃに上端部を軸支して前後方向に揺動可能に取り付けられており、下端部には揺動した球均し部材ｂを垂下状態に復帰させる重錘ｄが収納されている。そして、遊技球がタンクレールａ内を積み重なった状態で流下した場合に、球均し部材ｂが遊技球に対向する前側面で遊技球の流圧を受けて後方へ回動し、該球均し部材ｂの最下端部分とタンクレールａの内底面との間に前記回動に伴って生じる遊技球１個分の間隙から最下層の遊技球を流下させるとともに、重錘ｄによって垂下状態に復帰しようとする球均し部材ｂの復帰力により、最下層の遊技球上に積み重なっている上層の遊技球の流下を規制することによって、タンクレールａ内を積み重なった状態で流下する遊技球を平らに均すようにしている（例えば、特許文献１，２参照）。
【０００４】
また、上述したように、タンクレールａを流下する遊技球は球通路ｅを介して球払出装置ｆに送られるが、故障や保守点検等で該球払出装置ｆや球通路ｅを取り外した場合に、タンクレールａ内の遊技球が流下して機外にこぼれ落ちないようにするための球止め部材ｇが、タンクレールａの下端近傍部に配設されている。従来の球止め部材ｇは、略直角に曲成されたストッパー片部ｈを先端に備えた断面略Ｌ形の帯板材からなり、その基部がタンクレールａの上部に横架された支軸ｊに回動可能に軸支されている。そして、支軸ｊの上部側で、基部を支点として正逆何れかの方向へ球止め部材ｇを選択的に回動させることにより、先端のストッパー片部ｈがタンクレールａ内に挿入されて遊技球を塞き止める球止め位置と、タンクレールａ内から退避して遊技球の流下を許容する待機位置とに変換可能に設けられている（例えば、特許文献３参照）。
【特許文献１】特開平８−８４８３６号公報（段落番号[０００３]、図５）
【特許文献２】特開平８−２４３２１１号公報（段落番号[０００２]、図８）
【特許文献３】特開平９−７０４７６号公報（段落番号[０００２]、図１１）
【発明の開示】
【発明が解決しようとする課題】
【０００５】
ところで、従来の球均し部材ｂにあっては、タンクレールａ内を大量の遊技球が積み重なって流下すると、遊技球の過大な流圧によって球均し部材ｂが必要以上に後方へ回動してしまい、上層の遊技球に対する流下規制作用が得られなくなって、遊技球が積み重なった状態のままで球均し部材ｂを通過してしまう場合があった。このため、従来の球均し部材ｂでは、常に確実で安定した遊技球の均し作用を得ることができないという問題点があった。
【０００６】
また、パチンコ遊技機においては、遊技盤の裏面側に突出した状態で取り付けられる制御装置や該制御装置の保護カバーとの干渉を避けるために、裏機構板ｍの略中央部に矩形状の開口部ｎ（図１２参照）が形成されており、該開口部ｎの上方に前記球タンクｋとタンクレールａが配設され、該開口部ｎの側方に前記球通路ｅと球払出装置ｆが配設されている。さらに裏機構板ｍには、遊技状態等の所要情報信号を出力する情報端子基板ｐ（図１２参照）が、遊技島設備の通信装置との配線が容易な裏機構板ｍの上部位置で、球タンクｋの横に並べて配設されており、該情報端子基板ｐの下方に前記タンクレールａの球止め部材ｇが配設された位置関係となっている。一方、近年、遊技領域の拡大化や図柄表示装置の大型化によって遊技盤のサイズが拡大され、これに対応して裏機構板ｍの開口部ｎも大きくなる傾向にある。そして、このように裏機構板ｍの開口部ｎが大きくなると、これに伴って前記タンクレールａと情報端子基板ｐとの上下間隔が狭くなることとなる。ここで、タンクレールａの下端近傍部に配設されている従来の球止め部材ｇにあっては、支軸ｊの上部側で、基部を支点として回動操作を行うものであるため、上記のようにタンクレールａと情報端子基板ｐとの上下間隔が狭くなると操作スペースが減少し、球止め部材ｇの回動操作がし難くなったり、情報端子基板ｐに接続されている配線ケーブルに先端のストッパー片部ｈが引っ掛かったりする不具合が生じることとなり、裏機構板ｍの開口部ｎの拡大に伴う操作スペースの減少化に対応できないという問題点があった。
【０００７】
本発明は、このような問題点を解消するためになされたものであって、常に確実で安定した遊技球の均し作用が得られるとともに、裏機構板の開口部の拡大による操作スペースの減少化にも対応可能な球止め機能も具備し得る球均し部材を備えたパチンコ遊技機を提供することを目的とするものである。
【課題を解決するための手段】
【０００８】
本発明は、遊技機本体の裏面側に、遊技島設備の補給樋から供給された遊技球を受け入れる球タンクと、該球タンクから放出された遊技球を流下させる下方傾斜したタンクレールと、該タンクレール内を積み重なって流下する遊技球を平らに均す球均し部材とを備えたパチンコ遊技機において、前端に先鋭端を備えるとともに、該先鋭端から後部側に向けて上方傾斜する略帯板状の球乗り上げ部を備えた球均し部材が、その先鋭端を、タンクレールの内底面に対して遊技球１個を通過させ得る高さ位置に臨ませ、かつ遊技球の流下方向に対向するように配設されていることを特徴とするパチンコ遊技機である。
【０００９】
ここで、前記球均し部材は、遊技機本体の裏面側に突設した支軸に回動不能に軸支することによって、前記所定態様で配設され得る。また、球均し部材の先鋭端とタンクレールの内底面との間隔は、タンクレールの内底面を転動する最下層の遊技球が容易に通過し得るように、遊技球の直径より若干大きく設定することが好ましい。
【００１０】
前記構成にあって、球乗り上げ部の上端部に、先鋭端から乗り上げた遊技球を送り返す上方に湾曲した円弧状返し面部を設ける構成が提案される。
【００１１】
また、前記構成にあって、球均し部材を上下方向に回動可能に軸支する支軸と、該球均し部材を、その先鋭端がタンクレールの内底面に対して遊技球１個を通過させ得る高さ位置に臨む球均し位置に保持する位置保持手段とを備え、該球均し部材が、位置保持手段の保持解除によって下方に回動して、その先鋭端がタンクレールの内底面に当接して遊技球の流下を遮断する球止め位置に位置決められるようにする構成が提案される。
【００１２】
さらに、前記位置保持手段を、球均し部材に形成された軸挿通孔の内周面と、該軸挿通孔に挿通される支軸の外周面とに亘って対向状に形成されたキー溝対と、該キー溝対に抜き差し自在に嵌入されるキー部材とからなるものとする構成が提案される。
【発明の効果】
【００１３】
本発明は、上述したように、前端に先鋭端を備えるとともに、該先鋭端から後部側に向けて上方傾斜する略帯板状の球乗り上げ部を備えた球均し部材が、その先鋭端を、タンクレールの内底面に対して遊技球１個を通過させ得る高さ位置に臨ませ、かつ遊技球の流下方向に対向するように配設されていることにより、遊技球がタンクレール内を積み重なった状態で球均し部材の配設位置まで流下してくると、該球均し部材の先鋭端とタンクレールの内底面との間に生じている間隙を最下層の遊技球が通過して流下する一方、最下層の遊技球上に積み重なっている上層の遊技球は、球均し部材の先鋭端から球乗り上げ部に乗り上げて最下層の遊技球から分離される。ここで、球乗り上げ部に乗り上げた遊技球は、後続の遊技球の流圧によって球乗り上げ部を上方に押し上げられるが、該球乗り上げ部が上方傾斜していることにより、球乗り上げ部上の遊技球に下方へ降りようとする力が生じ、その降りようとする力と押し上げる力が均衡すると球乗り上げ部上で停留する。そして、球均し部材の配設位置まで流下してくる遊技球のタンクレール内での積み重なり状態が解消されて、球乗り上げ部上の遊技球を押し上げる力が消失すると、球乗り上げ部に乗り上げていた遊技球が自重で降下して、最下層の遊技球と合流し、先鋭端とタンクレールの内底面との間に生じている前記間隙を通過して流下することとなる。これにより、タンクレール内を積み重なった状態で流下する遊技球を平らに均すことができる。このように、本発明にあっては、従来の揺動式の球均し部材ｂ（図１２参照）と異なり、球均し部材が固定的に配設され、該球均し部材の先鋭端とタンクレールの内底面との間に生じている遊技球１個分の間隙が変動しないため、常に確実で安定した遊技球の均し作用を得ることができる。
【００１４】
また、前記球乗り上げ部の上端部に、先鋭端から乗り上げた遊技球を送り返す上方に湾曲した円弧状返し面部を設ける構成にあっては、球乗り上げ部に乗り上げた遊技球を上方に押し上げる後続の遊技球の流圧が強く、遊技球が球乗り上げ部の上端部まで押し上げられた場合に、該上端部に設けた円弧状返し面部によって、遊技球を、上方に弧を描くように反転させて順次送り返すことができる。これによって、球乗り上げ部の上端部に達した遊技球が該上端部を通過してこぼれ落ちたり、上端部で塞き止められて後続の遊技球の乗り上げが妨げられたりすることがなく、最下層の遊技球から分離された上層の遊技球を適正に処理することができる。
【００１５】
また、球均し部材を上下方向に回動可能に軸支する支軸と、該球均し部材を、その先鋭端がタンクレールの内底面に対して遊技球１個を通過させ得る高さ位置に臨む球均し位置に保持する位置保持手段とを備え、該球均し部材が、位置保持手段の保持解除によって下方に回動して、その先鋭端がタンクレールの内底面に当接して遊技球の流下を遮断する球止め位置に位置決められるようにした構成にあっては、球均し部材が位置保持手段によって球均し位置に保持されている状態では、上述したように、常に確実で安定した遊技球の均し作用を得ることができる一方、位置保持手段の保持解除によって球均し部材が球止め位置に位置決められた状態では、タンクレール内を球均し部材の配設位置まで流下してきた遊技球が、該球均し部材の先鋭端から球乗り上げ部に乗り上げることとなり、これによって遊技球が塞き止められてその流下が遮断される。従って、故障や保守点検等で球払出装置や球通路を取り外す場合に、位置保持手段の保持解除操作を介して、球均し部材を球止め位置に位置決めることによって球止め作用を生じさせることができる。特に、この構成の球均し部材にあっては、先鋭端がタンクレールの内底面に対して遊技球１個を通過させ得る高さ位置から、タンクレールの内底面に当接する位置までの僅かな距離を回動するものであるため、従来のように、支軸の上部側で、基部を支点として回動するものに比して、その回動距離が僅かとなり、これによって、裏機構板の開口部の拡大に伴う操作スペースの減少化に対応し得るものとなる。
【００１６】
さらに、前記位置保持手段を、球均し部材に形成された軸挿通孔の内周面と、該軸挿通孔に挿通される支軸の外周面とに亘って対向状に形成されたキー溝対と、該キー溝対に抜き差し自在に嵌入されるキー部材とからなるものとする構成にあっては、対向状のキー溝対にキー部材を嵌入することにより、球均し部材を球均し位置に回動不能に保持することができる一方、キー溝対に嵌入されているキー部材を引き抜くことにより、支軸に軸支されている球均し部材が回動可能となって、球止め位置に容易に回動させることができる。
【発明を実施するための最良の形態】
【００１７】
以下に、本発明の第一実施例を、図１〜図７に基づいて説明する。
パチンコ遊技機１は、図１，図２に示すように、遊技島設備（図示省略）に固定される外枠２と、該外枠２の前面開口部を覆う遊技機本体３とからなる。
【００１８】
遊技機本体３は、略正方形状の開口部５が中央上部に形成された前枠６を備え、該前枠６の一側縁がヒンジ部材４，４を介して外枠２に開閉可能に枢着されている。この前枠６には、略円形のレール７により区画形成された遊技領域を備える遊技盤８が前記開口部５に嵌合された状態で取り付けられており、さらに前枠６には、遊技盤８を覆うガラス扉１０と、上受皿１１を備えた上皿パネル１２とが夫々開閉可能に軸支されている。また、前枠６の下部には、上受皿１１の下方に位置させて下受皿１３が一体形成されており、該下受皿１３の右側方に発射ハンドル１４が配設されている。尚、図示省略されているが、前記遊技盤８の遊技領域には、図柄表示装置，大入賞口，電動役物，遊技釘，風車等の各種遊技部材が所定位置に配設されている。
【００１９】
一方、遊技機本体３の裏面側には、遊技盤８の背面に当接させるようにして裏機構板１５（図３参照）が対設されている。該裏機構板１５は、その一側縁が前枠６の裏面側縁部にヒンジ部材１６，１６を介して開閉可能に枢結されている。該裏機構板１５には、図３に示すように、その上部に球タンク１７が配設されており、図示しない遊技島設備の補給樋から可撓パイプを介して供給される遊技球を該球タンク１７内に受け入れ得るようになっている。また、裏機構板１５には、球タンク１７の底壁に開口された球出口１８から放出される遊技球を受け入れて流下させる緩勾配で下方傾斜したタンクレール１９と、該タンクレール１９の下端部と連通して遊技球を下方の球払出装置２０に導く上下方向の球通路２１とが設けられている。また、裏機構板１５には、前記球払出装置２０から払い出される遊技球をさらに下方に導く二股状に分岐された払出し流路２２ａ，２２ｂが設けられており、その一方の払出し流路２２ａは上受皿１１の球出口２３に連通され、他方の払出し流路２２ｂは下受皿１３の球出口２４に連通されている。尚、前記タンクレール１９，球通路２１，払出し流路２２ａ，２２ｂは、透光性を有する合成樹脂によって形成されており、内部を流下する遊技球を視認し得るようになっている。
【００２０】
また、裏機構板１５には、遊技盤８の裏面側に突出した状態で取り付けられる制御装置や該制御装置の保護カバー（何れも図示省略）との干渉を避けるために、その略中央部に矩形状の開口部２５が形成されており、該開口部２５の上方に前記タンクレール１９が配設され、該開口部２５の側方に前記球通路２１と球払出装置２０が配設されている。さらに裏機構板１５の上部位置には、遊技状態等の所要情報信号を出力する情報端子基板２６が、球タンク１７の横に並べて配設されている。
【００２１】
また、この情報端子基板２６の下方に位置する前記タンクレール１９の下端近傍部には、球止め部材２７が配設されている。この球止め部材２７は、従来構成と同じものであって、略直角に曲成されたストッパー片部２８を先端に備えた断面略Ｌ形の帯板材からなり、その基部がタンクレール１９の上部に横架された支軸２９に回動可能に軸支されている。そして、該支軸２９の上部側で、基部を支点として正逆何れかの方向へ球止め部材２７を選択的に回動させることにより、先端のストッパー片部２８がタンクレール１９内に挿入されて遊技球を塞き止める球止め位置と、タンクレール１９内から退避して遊技球の流下を許容する待機位置とに変換し得るようになっている。これにより、故障や保守点検等で前記球払出装置２０や球通路２１を取り外す場合に、該球止め部材２７を球止め位置に変換して遊技球を塞き止めることにより、タンクレール１９内の遊技球が機外にこぼれ落ちることを防止するようにしている。
【００２２】
次に、本発明の要部について説明する。
前記タンクレール１９は、図６に示すように、底壁部３０と前後の側壁部３１ａ，３１ｂとにより断面略コ字形に形成され、その内部には底壁部３０に立設された仕切り壁部３２によって二条の球流路３３，３３が区画形成されている。この球流路３３，３３の各横幅は、遊技球ｘの直径寸法より若干広く設定されており、これによって、遊技球ｘを一列状に整列させて流下させ得るようになっている。また、タンクレール１９の長手方向の略中間位置には、本発明の要部にかかる後述する球均し部材３６Ａ（図３参照）が配設されている。この球均し部材３６Ａより上流側の側壁部３１ｂは、所定高さ位置まで上方に延設されており、該側壁部３１ｂによってタンクレール１９の背面側の側部を遮蔽して、遊技球ｘが積み重なった状態で流下してもタンクレール１９からこぼれ落ちないようにしている。
【００２３】
前記球均し部材３６Ａは、図４に示すように、前端に先鋭端３７を備えるとともに、該先鋭端３７から後部側に向けて上方傾斜する略帯板状の球乗り上げ部３８を備えており、その先鋭端３７を、タンクレール１９の内底面３４に対して１個の遊技球ｘを通過させ得る高さ位置に臨ませ、かつ遊技球ｘの流下方向に対向するようにして配設されている。
【００２４】
ここで、前記裏機構板１５には、タンクレール１９上の所定高さ位置に、図５（ａ）に示すように、断面略八角形等の異形断面に形成した支軸３９がタンクレール１９の長手方向に直交させて突設されており、また、球均し部材３６Ａの後端部には、前記支軸３９の異形断面形状に一致する軸挿通孔４０が幅方向に貫設されている。そして、該軸挿通孔４０と前記支軸３９とを嵌合することにより、その異形断面相互の嵌合によって生じる回り止め作用を介して球均し部材３６Ａが支軸３９に対して回動不能に軸支されている。また、この状態で、図５（ｂ），図６に示すように、該支軸３９の端部から抜け止め鍔部５６を備えた固定用ボルト５５を螺合することにより、軸挿通孔４０の孔縁端面に当接する抜け止め鍔部５６の押圧作用を介して球均し部材３６Ａが支軸３９に固定されている。また、前記支軸３９の基部には、球均し部材３６Ａの軸挿通孔４０と嵌合される部分より若干径大なスペーサ部４１が設けられており、該スペーサ部４１によって球均し部材３６Ａを支軸３９上の所定位置に位置決めするようにしている。
【００２５】
球均し部材３６Ａの球乗り上げ部３８には、タンクレール１９の仕切り壁部３２に対応する位置に、先鋭端３７から後部の上端近傍部に亘る一条のスリット４２が形成されており、該スリット４２によってタンクレール１９の仕切り壁部３２との干渉を回避して、先鋭端３７を、タンクレール１９の内底面３４に対して所定高さ位置に臨ませ得るようにしている。
【００２６】
また、球乗り上げ部３８の上端部には、該球乗り上げ部３８の上面に連続させて上方に滑らかに湾曲する円弧状返し面部４３が設けられており、先鋭端３７から球乗り上げ部３８に乗り上げた遊技球を、該円弧状返し面部４３によって弧を描くように反転させて送り返し得るようになっている。
【００２７】
かかる構成にあって、遊技球ｘがタンクレール１９内を積み重ならないで流下する状態にあっては、図７（ａ）に示すように、球均し部材３６Ａの先鋭端３７とタンクレール１９の内底面３４との間に生じている間隙を遊技球ｘが支障なく通過するため、該遊技球ｘを円滑に下流側へ流下させることができる。また、遊技球ｘがタンクレール１９内を積み重なった状態で球均し部材３６Ａの配設位置まで流下してきた場合には、図７（ｂ）に示すように、該球均し部材３６Ａの先鋭端３７とタンクレール１９の内底面３４との間に生じている間隙を最下層の遊技球ｘが通過して流下する一方、最下層の遊技球ｘ上に積み重なっている上層の遊技球ｘは、球均し部材３６Ａの先鋭端３７から球乗り上げ部３８に乗り上げて最下層の遊技球ｘから分離される。ここで、球乗り上げ部３８に乗り上げた遊技球ｘは、後続の遊技球ｘの流圧によって球乗り上げ部３８を上方に押し上げられるが、該球乗り上げ部３８が上方傾斜していることにより、球乗り上げ部３８上の遊技球ｘに下方へ降りようとする力が生じ、その降りようとする力と押し上げる力が均衡すると球乗り上げ部３８上で停留する。そして、球均し部材３６Ａの配設位置まで流下してくる遊技球ｘのタンクレール１９内での積み重なり状態が解消されて、球乗り上げ部３８上の遊技球ｘを押し上げる力が消失すると、球乗り上げ部３８に乗り上げていた遊技球ｘが自重で降下して、最下層の遊技球ｘと合流し、先鋭端３７とタンクレール１９の内底面３４との間に生じている前記間隙を通過して流下することとなる。これにより、タンクレール１９内を積み重なった状態で流下する遊技球ｘを平らに均すことができる。そして、このように、球均し部材３６Ａが固定的に配設され、該球均し部材３６Ａの先鋭端３７とタンクレール１９の内底面３４との間に生じている遊技球１個分の間隙が変動しないため、常に確実で安定した遊技球ｘの均し作用を得ることができる。
【００２８】
また、前記球乗り上げ部３８の上端部に、先鋭端３７から乗り上げた遊技球ｘを送り返す上方に湾曲した円弧状返し面部４３が設けられていることにより、球乗り上げ部３８に乗り上げた遊技球ｘを上方に押し上げる後続の遊技球ｘの流圧が強く、遊技球ｘが球乗り上げ部３８の上端部まで押し上げられた場合には、該上端部に設けられた円弧状返し面部４３によって、遊技球ｘを、図７（ｃ）に示すように、上方に弧を描くように反転させて順次送り返すことができる。これによって、球乗り上げ部３８の上端部に達した遊技球ｘが該上端部を通過してこぼれ落ちたり、上端部で塞き止められて後続の遊技球ｘの乗り上げが妨げられたりすることがなく、最下層の遊技球ｘから分離された上層の遊技球ｘを適正に処理することができる。
【００２９】
図８〜図１１は、第二実施例を示し、この第二実施例は、上下方向に回動可能に軸支した球均し部材３６Ｂを、位置保持手段によって先鋭端３７がタンクレール１９の内底面３４に対して遊技球１個を通過させ得る高さ位置に臨む球均し位置（図８（ａ）参照）に保持するとともに、該位置保持手段の保持解除によって球均し部材３６Ｂが下方に回動して、先鋭端３７がタンクレール１９の内底面３４に当接して遊技球の流下を遮断する球止め位置（図８（ｂ）参照）に位置決められるようにしたものである。尚、この第二実施例では上述した第一実施例における球止め部材２７（図３参照）は除去される。
【００３０】
前記裏機構板１５には、タンクレール１９上方の所定高さ位置に、図９に示すように、球均し部材３６Ｂを回動可能に軸支する円柱状の支軸４４がタンクレール１９の長手方向に直交させて突設されており、該支軸４４の外周面には、その上下位置に軸線方向に沿う凹溝状のキー溝４５，４５が形成されている。また、該支軸４４の中心部には、後述する操作部材５１の連結軸５３を挿通する挿通孔４６が軸線方向に沿って貫設されている。一方、球均し部材３６Ｂの後端部には、前記支軸４４を挿通する断面円形の軸挿通孔４７が幅方向に貫設されており、該軸挿通孔４７の内周面には、前記キー溝４５，４５に一致する位置に凹溝状のキー溝４８，４８が形成されている。ここで、該キー溝４８，４８と前記キー溝４５，４５は、図１０に示すように、軸挿通孔４７の内周面と支軸４４の外周面とに亘って対向状に形成されており、これによってキー溝対４９，４９が構成されている。そして、前記軸挿通孔４７と支軸４４とを嵌合することによって、球均し部材３６Ｂが支軸３９によって回動可能に軸支されており、さらに、前記キー溝対４９，４９に後述するキー部材５０，５０を嵌入することによって、球均し部材３６Ｂが前記球均し位置（図８（ａ）参照）に保持されるようになっている。そして、このキー溝対４９，４９とキー部材５０，５０とによって球均し部材３６Ｂの位置保持手段が構成されている。
【００３１】
前記キー部材５０，５０は、図９に示すように、円盤状に形成された操作部材５１の裏面に突設されており、前記キー溝対４９，４９に抜き差し自在に嵌入されるようになっている。また、操作部材５１は、図１１（ａ），（ｂ）に示すように、裏機構板１５の裏面に配設された抜止板５２と連結軸５３によって連結されている。該連結軸５３は支軸４４の挿通孔４６に挿通されており、その長さは、図１１（ｂ）に示すように、キー部材５０，５０をキー溝対４９，４９から完全に引き抜いた状態で、抜止板５２が裏機構板１５の裏面に当接する所定の長さに設定されている。また、操作部材５１の外周面には、その引き抜き操作を容易とする半円状の溝５４が周設されている。
【００３２】
その他、第一実施例と同じ構成部分には、第一実施例と同じ符号を付して重複する説明を省略する。
【００３３】
かかる構成にあって、対向状のキー溝対４９，４９にキー部材５０，５０を嵌入することにより、球均し部材３６Ｂを球均し位置に回動不能に保持することができ、このように、球均し部材３６Ｂが位置保持手段によって球均し位置に保持されている状態（図８（ａ）参照）では、上述したように、常に確実で安定した遊技球の均し作用を得ることができる。一方、キー溝対４９，４９に嵌入されているキー部材５０，５０を引き抜くことにより、位置保持手段による保持が解除され、支軸４４に軸支されている球均し部材３６Ｂが回動可能となって、該球均し部材３６Ｂを、その自重によって先鋭端３７がタンクレール１９の内底面３４に当接する球止め位置へ回動させることができる。そして、このように、位置保持手段の保持解除によって球均し部材３６Ｂが球止め位置に位置決められた状態では、タンクレール１９内を球均し部材３６Ｂの配設位置まで流下してきた遊技球ｘが、図８（ｂ）に示すように、該球均し部材３６Ｂの先鋭端３７から球乗り上げ部３８に乗り上げることとなり、これによって遊技球ｘが塞き止められてその流下が遮断される。従って、故障や保守点検等で球払出装置２０や球通路２１（図３参照）を取り外す場合に、位置保持手段の保持解除操作を介して、球均し部材３６Ｂを球止め位置に位置決めることによって球止め作用を生じさせることができる。特に、この構成の球均し部材３６Ｂにあっては、先鋭端３７がタンクレール１９の内底面３４に対して遊技球１個を通過させ得る高さ位置から、タンクレール１９の内底面３４に当接する位置までの僅かな距離を回動するものであるため、従来のように、支軸の上部側で、基部を支点として回動するものに比して、その回動距離が僅かとなり、これによって、裏機構板１５の開口部２５の拡大に伴う操作スペースの減少化に対応し得るものとなる。
【図面の簡単な説明】
【００３４】
【図１】パチンコ遊技機１の正面図である。
【図２】同上のパチンコ遊技機１のガラス扉１０を開放した状態を示す斜視図である。
【図３】裏機構板１５の背面図である。
【図４】第一実施例にかかる球均し部材３６Ａの配設状態を示す正面図である。
【図５】（ａ）は分解状態、（ｂ）は軸支状態を夫々示す球均し部材３６Ａの斜視図である。
【図６】球均し部材３６Ａとタンクレール１９の配置関係を示す側断面図である。
【図７】球均し部材３６Ａの作用説明図である。
【図８】第二実施例にかかる球均し部材３６Ｂの配設状態を示し、（ａ）は球均し位置、（ｂ）は球止め位置の正面図である。
【図９】球均し部材３６Ｂの分解斜視図である。
【図１０】キー溝対４９，４９の拡大断面図である。
【図１１】（ａ）はキー部材５０，５０の嵌入により球均し部材３６Ｂが球均し位置に保持された状態、（ｂ）はキー部材５０，５０が引き抜かれて球均し部材３６Ｂが球止め位置へ回動した状態を夫々示す側断面図である。
【図１２】従来構成の球均し部材ｂと球止め部材ｇを備えた裏機構板ｍの部分拡大背面図である。
【符号の説明】
【００３５】
１  パチンコ遊技機
３  遊技機本体
１７  球タンク
１９  タンクレール
３４  内底面
３６Ａ，３６Ｂ  球均し部材
３７  先鋭端
３８  球乗り上げ部
４３  円弧状返し面部
４４  支軸
４７  軸挿通孔
４９  キー溝対（位置保持手段）
５０  キー部材（位置保持手段）
ｘ  遊技球
【図１】
0004772466.tif 000002
【図２】
0004772466.tif 000003
【図３】
0004772466.tif 000004
【図４】
0004772466.tif 000005
【図５】
0004772466.tif 000006
【図６】
0004772466.tif 000007
【図７】
0004772466.tif 000008
【図８】
0004772466.tif 000009
【図９】
0004772466.tif 000010
【図１０】
0004772466.tif 000011
【図１１】
0004772466.tif 000012
【図１２】
0004772466.tif 000013